(57)【要約】      （修正有）【課題】本体部の電気的な接続部分の切り離し及び接続作業を容易且つ確実に行うことができ、交換工事の工期の短縮化と低コスト化を図った重量盤を提供する。【解決手段】電力機器が収容された筐体１０を有し、設置面に直立する方向で設置される本体部１と、筐体１０の正面側から見て外周縁よりも外方に支持され、電力機器と外部とを電気的に接続する接続部１１とを有する。【選択図】図１
2018191405.tif 000002
【特許請求の範囲】
【請求項１】
電力機器が収容された筐体を有し、設置面に直立する方向で設置される本体部と、
前記筐体の正面側から見て外周縁よりも外方に支持され、前記電力機器と外部とを電気的に接続する接続部と、
を有することを特徴とする重量盤。
【請求項２】
前記接続部は、前記本体部が設置面に設置された状態で、前記筐体の外部の設備に固定された固定側接続部の位置に応じて、可動に設けられた可動側接続部であることを特徴とする請求項１記載の重量盤。
【請求項３】
前記可動側接続部の前記固定側接続部に対する接続部分は、前記筐体が設置面に設置された状態で、前記固定側接続部から離隔した断路位置と、前記固定側接続部に電気的に接続された閉路位置との間を移動可能に設けられていることを特徴とする請求項２記載の重量盤。
【請求項４】
前記接続部は、入出力用の区分に分けて複数設けられていることを特徴とする請求項１乃至３のいずれかに記載の重量盤。
【請求項５】
前記接続部は、交流の各相に分けて複数設けられていることを特徴とする請求項１乃至４のいずれかに記載の重量盤。
【請求項６】
前記電力機器は、交流を直流に変換するコンバータおよび直流を交流に変換するインバータを含むことを特徴とする請求項１乃至５のいずれかに記載の重量盤。
【発明の詳細な説明】
【技術分野】
【０００１】
本発明の実施形態は、重量盤に関する。
【背景技術】
【０００２】
無停電電源システム（ＵＰＳ）とは、電源トラブルが発生しても負荷に対して同一規格の電力を所定時間給電するシステムである。無停電電源システムは通常、本体部と、その周辺盤とを備えており、データセンターなどに設置されている。本体部は、無停電電源システムの主要部であって、交流を直流に変換するコンバータと、直流を交流に変換するインバータ等の電力機器を備えている。周辺盤とは、入力トランス盤や蓄電池盤などである。
【０００３】
本体部および周辺盤は、一般的には、略直方体状の筐体に収容されている。これらの筐体は、電気室などの壁面に沿って一列に並べられることが多い。また、本体部の筐体と周辺盤の筐体は、美観上の観点などから、奥行き寸法および高さ寸法については統一されている。これらの筐体の大きさは、例えば奥行き寸法は１０００ｍｍ弱程度、高さ寸法は、容量が５００ｋＶＡの場合は１９００ｍｍ程度、容量が１０００ｋＶＡの場合は２３００ｍｍ程度である。
【０００４】
本体部などの筐体は、正面に扉を取り付けており、この扉を開けて本体部の内部あるいは周辺盤の内部の保守点検を行うようになっている。そのため、本体部および周辺盤の前方には作業用のスペースが設けられている。また、本体部および周辺盤は、それぞれの期待寿命が終わるころには更新を行っている。本体部および周辺盤の更新とは、本体部および周辺盤を新たなものに、まるごと交換することである。
【０００５】
本体部と周辺盤とでは期待寿命の長さが異なっており、本体部の交換工事と、周辺盤の交換工事とでは、その実施時期が大きくずれることになる。具体的には、本体部の期待寿命は１５年ほどであって、本体部の交換は無停電電源システムの納入後１５年を指標としている。一方、周辺盤の期待寿命は２５年程度であり、本体部の交換時期よりも１０年ほど遅い。
【先行技術文献】
【特許文献】
【０００６】
【特許文献１】特開２０１４−２２２９８２号公報
【発明の概要】
【発明が解決しようとする課題】
【０００７】
上述したように、本体部の交換工事は、周辺盤より１０年も早く実施しなくてはならない。そのため、本体部の交換工事を行うとき、本体部と周辺盤との接続は外すものの、周辺盤自体は設置されたままである。したがって、本体部の交換工事では、複数が並んだ筐体群の中から、交換対象である本体部だけを、固定してあった設置場所から取り外し、新しい本体部を同じ場所に設置することになる。
【０００８】
しかしながら、本体部は、設置後は周辺盤と列盤されており、まず引き出すことが困難である。内部の重量物を解体して筐体を軽くしないと、引き出すことはできない。
【０００９】
しかも、本体部の電力機器と周辺盤とは、ケーブルを介して電気的に接続されており、その接続部分は、本体部の内部に設けられている。このため、本体部だけを設置場所から取り外す場合には、複数のケーブルとの接続部分の離線作業を本体部の内部で行わなければならず、非常に手間がかかっていた。また、新しい本体部を設置する場合には、複数のケーブルの配線作業を本体部の内部で行わなければならず、作業が面倒であり、接続間違いも発生し易い状況であった。
【００１０】
さらに、交換工事の人件費を考慮すれば、本体部の交換工事の工期は短ければ短いほど良い。しかし、接続部分の離線作業、接続作業に手間がかかると、更新コストが増大する。なお、ＵＰＳの場合には、工期が長引くと停電に対する安全性が低下することにもなる。
【００１１】
本実施形態は、上記の課題を解決するために提案されたものであり、その目的は、本体部の電気的な接続部分の切り離し及び接続作業を容易且つ確実に行うことができ、交換工事の工期の短縮化と低コスト化を図った重量盤を提供することにある。
【課題を解決するための手段】
【００１２】
上記目的を達成するために、本発明の実施形態の重量盤は、電力機器が収容された筐体を有し、設置面に直立する方向で設置される本体部と、前記筐体の正面側から見て外周縁よりも外方に支持され、前記電力機器と外部とを電気的に接続する接続部とを有する。
【図面の簡単な説明】
【００１３】
【図１】実施形態の重量盤の斜視図である。
【図２】実施形態の重量盤の正面図である。
【図３】実施形態を含む無停電電源システムの回路図である。
【図４】実施形態の接続部の斜視図である。
【図５】断路位置にある接続部と固定側接続部を示す側面図（Ａ）、平面図（Ｂ）である。
【図６】閉路位置にある接続部と固定側接続部を示す側面図（Ａ）、平面図（Ｂ）である。
【図７】実施形態の重量盤の設置位置からの引出準備を示す平面図である。
【図８】実施形態の重量盤の設置位置からの引出途中を示す平面図である。
【図９】実施形態の重量盤の設置位置からの引出完了直前を示す平面図である。
【図１０】実施形態の重量盤の搬出状態を示す平面図である。
【図１１】実施形態の重量盤の搬入状態を示す平面図である。
【図１２】実施形態の重量盤の設置位置への位置決めを示す平面図である。
【図１３】実施形態の重量盤の設置位置への挿入を示す平面図である。
【図１４】周辺盤に実施形態を適用した例を示す正面図である。
【図１５】接続部の変形例を示す正面図である。
【図１６】接続部を側面に設けた変形例を示す斜視図である。
【図１７】図１６の変形例の正面図である。
【図１８】コネクタ部の変形例を示す斜視図である。
【図１９】接続部の変形例を示す斜視図である。
【図２０】断路位置にある接続部及び固定側接続部の変形例を示す側面図である。
【図２１】閉路位置にある接続部及び固定側接続部の変形例を示す側面図である。
【図２２】接続部及び固定側接続部の変形例を示す斜視図である。
【発明を実施するための形態】
【００１４】
実施形態の重量盤を、図面を参照して説明する。本実施形態の重量盤は、無停電電源システム（以下、ＵＰＳとする）に適用した例である。
［構成］
重量盤は、図１の斜視図及び図２の正面図に示すように、本体部１、接続部１１を有する。本体部１は、電力機器が収容された筐体１０を有し、設置面に直立する方向で設置される。本実施形態の重量盤は、作業員が単独で設置することが難しい重さを有する盤である。この重さは、例えば、１００ｋｇ〜３０００ｋｇ程度の重量である。なお、重量盤は「電力用盤」と呼ぶこともできる。
【００１５】
筐体１０は、略直方体形状の容器である。筐体１０は、図中、白塗りの太矢印で示すように奥行方向に移動させることにより設置面における設置スペースＦに設置される。本実施形態の設置スペースＦは、水平な床面である。設置スペースＦに設置された筐体１０の設置スペースＦと反対側の水平面を、上面１０ａとする。筐体１０の４つの垂直面のうち、いずれか１つの面を正面１０ｂ、その反対側の面を背面１０ｃ、それ以外の２面を側面１０ｄ、１０ｅとする。図１及び図２では、手前側が正面である。筐体１０は、正面に扉が設置されており、これらを開けて、内部の保守点検などを行うことができる。また、奥行方向は、正面１０ｂと背面１０ｃとの間の厚み方向である。
【００１６】
筐体１０内に収容される電力機器は、電力の供給を受けて機能を発揮する機器である。電力機器は、受変電システム又は給配電システム一部を構成する機器を含む。例えば、ＵＰＳを構成する機器、遮断器、断路器等の電路の開閉を行う開閉装置、変圧器、保護リレー等は電力機器に含まれる。また、設備の監視用の機器、例えば、ＰＬＣ、リレー、アレスタ、ハブ、タイマ等も、電力機器に含まれる。また、電気的な接点を有する端子盤や回路基板も電力機器に含まれる。さらに、空調機、コンピュータ、表示装置等の電力消費機器も、電力機器に含まれる。
【００１７】
本実施形態の電力機器は、ＵＰＳの一部を構成する機器である。ＵＰＳとしては、共通予備無停電電源システムにも、並列冗長無停電電源システムにも適用できるが、以下の説明では、回路については簡略化する。
【００１８】
まず、本実施形態で筐体１０に収容される電力機器は、図３に示すように、コンバータ２、インバータ３、ＡＣスイッチ４である。コンバータ２は、交流を直流に変換する装置である。インバータ３は、直流を交流に変換する装置である。コンバータ２及びインバータ３は、定常時の交流の入力から出力の主経路Ｒ１に接続されている。ＡＣスイッチ４は、コンバータ２及びインバータ３を経由しないバイパス経路Ｒ２の開閉を行う装置である。バイパス経路Ｒ２は、保守点検時や故障時に、交流の入力から出力へ交流電力を直送する経路である。また、コンバータ２とインバータ３との間の主経路Ｒ１には、充放電経路Ｒ３が分岐接続されている。
【００１９】
主経路Ｒ１の入力側及びバイパス経路Ｒ２の入力側は、入力トランス盤６のトランスに接続される。入力トランス盤６は、商用電源に接続された降圧用のトランスを収容した盤である。充放電経路Ｒ３は、蓄電池盤７の蓄電池に接続される。蓄電池盤７は、停電時の電源となる蓄電池を収容した盤である。主経路Ｒ１及びバイパス経路Ｒ２の出力側は、分岐盤８に接続される。分岐盤８は、電力を消費する接続機器に接続された盤である。以下、入力トランス盤６、蓄電池盤７、分岐盤８等を周辺盤と呼ぶ。周辺盤は、図示はしないが、本体部１が収容された電気室等に設置されている。本体部１の筐体１０に隣接する位置に設置されていてもよい。
【００２０】
接続部１１は、本体部１が設置面に設置された状態で、筐体１０の正面側から見て外周縁よりも外方に支持され、電力機器と外部とを電気的に接続する。外周縁とは、上面１０ａ、両側面１０ｄ、１０ｅの外表面に沿う枠である。正面側から見て外周縁よりも外方に支持とは、接続部１１が支持されている部分が背面に隠れることなく、上面１０ａ、両側面１０ｄ、１０ｅよりも外方に突出していることをいう。電気的な接続部分が、外周縁よりも外方に位置していることが、作業者が正面側から確認、把握、操作する上で好ましい。但し、接続部１１の一部、電気的な接続部分の一部が、筐体１０の背面側に隠れていてもよい。
【００２１】
接続部１１は、本体部１が設置面に設置された状態で、筐体１０の外部の設備に固定された固定側接続部２１の位置に応じて、可動に設けられた可動側接続部である。本実施形態の接続部１１は、図３に示すように複数設けられ、それぞれ主経路Ｒ１の入力側、バイパス経路Ｒ２の入力側、充放電経路Ｒ３、主経路Ｒ１及びバイパス経路Ｒ２の出力側に接続されている。なお、接続部１１の固定側接続部２１との電気的な接続部分は、接続部１１が上記のような位置に支持されているため、作業員が筐体１０の正面側から見て把握しやすい。
【００２２】
固定側接続部２１は、筐体１０の外部の設備に固定された構成部である。ここでいう外部の設備とは、筐体１０が設置された場所を構成する設備又はこの場所に設置された設備をいう。本実施形態の設備は、電気室を構成する設備、電気室に設置された設備であって、電気室の壁面、電気室に設置された盤、筐体１０を囲む枠等を含む。
【００２３】
固定側接続部２１は、ケーブルＣを介して、周辺盤に電気的に接続されている。つまり、上記の入力トランス盤６、蓄電池盤７、分岐盤８からのケーブルＣが、バスダクト等を通して延長され、固定側接続部２１に接続されている。図３に示すように、固定側接続部２１は、接続部１１に対応して複数設けられていて、固定側接続部２１に接続部１１が接続されることにより、主経路Ｒ１の入力側、バイパス経路Ｒ２の入力側に入力トランス盤６が接続され、充放電経路Ｒ３に蓄電池盤７に接続され、主経路Ｒ１及びバイパス経路Ｒ２の出力側に分岐盤８が接続される。
【００２４】
また、接続部１１の固定側接続部２１との電気的な接続部分Ｅ（図５及び図６参照）は、筐体１０が設置面に設置された状態で、固定側接続部２１から離隔した断路位置と、固定側接続部２１に電気的に接続される閉路位置との間を移動可能に設けられている。さらに、接続部１１は、交流の各相に分けて複数設けられている。また、接続部１１は、交流と直流に分けて複数設けられている。
【００２５】
接続部１１は、図４〜図６に示すように、導体１１ａを有する。導体１１ａは、図示はしないが、フレキシブルなケーブル等を介して、電力機器に接続されている。導体１１ａは、筐体１０の奥行方向に平行な一対の平板を備えている。
【００２６】
以下、接続部１１及び固定側接続部２１のより具体的な構成を説明する。
（接続部）
接続部１１は、支持部１０１に支持されている。支持部１０１は、図１及び図２に示すように、筐体１０の上面１０ａに設けられ、正面１０ｂに平行な方向で固定された板状の部材である。このため、接続部１１は、筐体１０の上面に支持されている。
【００２７】
支持部１０１に支持される接続部１１は、ガイド部１１１、可動部１１２、操作部１１３を有する。ガイド部１１１は、固定側接続部２１に対する導体１１ａの位置を調節するために、導体１１ａの移動をガイドする部材である。ガイド部１１１は、ガイドレール１１１ａ、スライダ１１１ｂを有する。ガイドレール１１１ａは、筐体１０の背面側が開口となる断面が略コ字形状の細長い部材である。ガイドレール１１１ａは、筐体１０の幅方向、つまり水平方向に取り付けられている。スライダ１１１ｂは、ガイドレール１１１ａに挿入された角筒形状の細長い部材であり、ガイドレール１１１ａに沿って、筐体１０の幅方向にスライド移動する。
【００２８】
可動部１１２は、導体１１ａを支持しつつ移動する部材である。可動部１１２は、移動板１１２ａ、支持板１１２ｂを有する。移動板１１２ａは、スライダ１１１ｂに取り付けられ、スライダ１１１ｂとともに筐体１０の幅方向に移動する平板である。支持板１１２ｂは、奥行き方向に平行に突出した一対の平板形状であり、移動板１１２ａの背面側に取り付けられている。支持板１１２ｂは、奥行き方向のガイド溝１１２ｃを有する。一対の導体１１ａは、それぞれ支持板１１２ｂのガイド溝１１２ｃに沿って移動可能に支持されている。
【００２９】
このため、導体１１ａは、ガイドレール１１１ａに沿って移動するスライダ１１１ｂとともに、筐体１０の幅方向に移動可能となる。また、導体１１ａは、ガイド溝１１２ｃに沿って、筐体１０の奥行方向に移動可能となる。導体１１ａに接続されたケーブルは、フレキシブルであるため、このような移動が生じても、ケーブルとの導通は確保される。
【００３０】
操作部１１３は、導体１１ａの位置を手動により操作するための部材である。操作部１１３は、付勢板１１３ａ、取手１１３ｂを有する。付勢板１１３ａは、筐体１０の正面に平行で、幅方向に長い長方形状である。付勢板１１３ａには、一対の導体１１ａを連結する略コの字状の連結部１１ｂが取り付けられている。つまり、支持部１０１の奥側に設けられた導体１１ａに取り付けられた連結部１１ｂが、支持部１０１に形成された穴１０１ａを貫通して、支持部１０１の正面側に設けられた付勢板１１３ａに、絶縁を確保して取り付けられている。付勢板１１３ａは、導体１１ａの挿入状態を視認できるように、透明な材質により形成されている。取手１１３ｂは、略Ｕ字形の棒状部材である。取手１１３ｂは、長手方向が筐体１０の幅方向となるように、両端が付勢板１１３ａの前面に固定されている。
【００３１】
（固定側接続部）
固定側接続部２１は、接続部１１を介して、ケーブルＣとの電気的な接続を行う部材である。固定側接続部２１は、固定板２１１、端子板２１２、コネクタ部２１３を有する。
【００３２】
固定板２１１は、筐体１０の外部の設備に固定された長方形状のプレートである。端子板２１２は、固定板２１１に固定された導電性のプレートである。端子板２１２の上端は、ケーブルＣの端子との接続用の端部となっている。例えば、図示はしないが、接続用の穴が形成されている。
【００３３】
コネクタ部２１３は、導体１１ａが挿脱される部材である。つまり、導体１１ａ及びコネクタ部２１３は、導体１１ａが接続部１１から固定側接続部２１に向かって移動して互いに嵌り合うことにより、電気的に接続される嵌合部を構成している。コネクタ部２１３は、凹部２１３ａ、接触電極２１３ｂを有する。凹部２１３ａは、導体１１ａが挿入される窪み形状の部分である。接触電極２１３ｂは、凹部２１３ａに設けられ、端子板２１２に電気的に接続された部材である。
【００３４】
このようなコネクタ部２１３は、導体１１ａに対して複数配置されている。本実施形態では、３つのコネクタ部２１３が設けられている。このコネクタ部２１３の接触電極２１３ｂは、それぞれ定格電流を等しく分担する。例えば、定格電流が３００Ａである場合には、１００Ａ程度の電流を流すことができる。但し、定格電流を担う単一のコネクタ部２１３としてもよい。
【００３５】
上記のような接続部１１、固定側接続部２１は、図１及び図２に示すように、入出力用の区分に分けて、複数組用意されている。例えば、接続部１１及び固定側接続部２１は、交流入力ＡＮ、直流入力ＤＮ、バイパス入力ＢＮ、交流出力ＡОに分けて設けられている。これらの接続部１１は、互いに間隔を空けて配置され、絶縁距離を確保している。また、固定側接続部２１も、接続部１１に対応する位置に、互いに間隔を空けて並べて配置され、絶縁距離を確保している。さらに、このように接続部１１及び固定側接続部２１を複数組に分けることにより、嵌合部分の挿抜荷重を低減している。
【００３６】
［電気的接続作業］
次に、以上のような接続部１１を固定側接続部２１に接続する作業を説明する。なお、電気的接続作業及び接続解除作業に先立って、遮断器等によって充電部分を解除して、安全性を確保する作業については、説明を省略する。図４、図５（Ａ）、（Ｂ）に示すように、本体部１を設置スペースＦに設置すると、導体１１ａと、コネクタ部２１３の凹部２１３ａとが離隔して対向する。つまり、このとき、接続部１１は断路位置にある。
【００３７】
作業者は、操作部１１３の取手１１３ｂを持ち、図５（Ｂ）に示すように、幅方向に移動させることにより、付勢板１１３ａに取り付けられた導体１１ａと凹部２１３ａとの幅方向の位置を調整してから、図５（Ａ）に示すように、付勢板１１３ａを背面側へ押し込む。すると、図６（Ａ）、（Ｂ）に示すように、導体１１ａの接続部分Ｅが、コネクタ部２１３の凹部２１３ａに嵌り、接触電極２１３ｂに接触して電気的に接続される。これにより、接続部１１は閉路位置となり、筐体１０の内部の電力機器に、接続部１１及び固定側接続部２１を介して、ケーブルＣが接続される。ケーブルＣとの接続により、周辺盤と筐体１０の内部の電力機器とが接続される。
【００３８】
［電気的接続解除作業］
接続部１１と固定側接続部２１の接続を解除する場合には、図６（Ａ）、（Ｂ）に示すように、操作部１１３の取手１１３ｂを持って、正面側に引く。すると、導体１１ａが、コネクタ部２１３の凹部２１３ａから外れて、接触電極２１３ｂとの電気的な接続が解除される。これにより、接続部１１は、図５（Ａ）、（Ｂ）に示すように、断路位置となる。
【００３９】
［本体部の交換工事］
次に、本体部１の交換工事の作業を説明する。
【００４０】
（本体部の搬出作業）
本体部１の搬出作業について、図７〜図１０を参照して説明する。なお、設置スペースＦには、ベース部Ｂが載置されている。ベース部Ｂは、本体部１と設置面との間に介在して、本体部１を支持する方形の枠状のプレートである。なお、設置面に設置されるとは、筐体１０が設置面に直接接して設置される場合も、ベース部Ｂのような部材を介して設置される場合も含まれる。
【００４１】
まず、作業員は、図７に示すように、レール部Ｍ１を平行に２本、筐体１０が設置された設置スペースＦの正面の前に設置する。筐体１０の正面の図示しない取付穴には、アイボルトＭ２を取り付ける。また、搬出入用スペースＳの床面近くに、アンカーＭ３を固定し、アンカーＭ３にレバーブロックＭ４を取り付ける。そして、レバーブロックＭ４のフック部を、取付穴に取り付けたアイボルトＭ２に引っ掛け、レバーブロックＭ４を操作して、筐体１０を設置スペースＦから引き出す。
【００４２】
図８に示すように、筐体１０の引出しにより筐体１０の側面の図示しない取付穴が現れた時点で、筐体１０の引出し作業を一旦停止する。そして、レバーブロックＭ４のフック部を正面の取付穴のアイボルトＭ２から外し、側面の取付穴にアイボルトＭ２を取り付ける。このアイボルトＭ２にレバーブロックＭ４のフック部を引っ掛け、レバーブロックＭ４を操作することで、筐体１０をさらに引き出す。
【００４３】
図９に示すように、筐体１０の更なる引出しにより筐体１０の側面の背面寄りの取付穴が現れた時点で、引出し作業を一旦停止する。そして、レバーブロックＭ４のフック部をアイボルトＭ２から外し、背面寄りの取付穴にアイボルトＭ２を取り付ける。このアイボルトＭ２にレバーブロックＭ４のフック部を引っ掛け、レバーブロックＭ４を操作することで、筐体１０をさらに引き出す。その結果、ベース部Ｂから筐体１０を完全に下ろし、筐体１０全体を搬出入用スペースＳに引き出す。
【００４４】
図１０に示すように、搬出入用スペースＳに引き出した筐体１０をジャッキなどで持ち上げてハンドリフトＭ５を潜り込ませる。最後に、ハンドリフトＭ５を用いて、作業員Ｈが搬出入用スペースＳを通って筐体１０を外部に運び出し、本体部１の搬出作業が終了する。
【００４５】
（本体部の搬入作業）
次に、本体部１の搬入作業を、図１１〜図１３を参照して説明する。図１１に示すように、複数の作業員ＨがハンドリフトＭ５を用いて、本体部１の筐体１０を、設置スペースＦの前方にまで運び入れる。
【００４６】
図１２に示すように、筐体１０の正面の前に４つの角材Ｍ６を設置しておき、筐体１０をジャッキなどで持ち上げて筐体１０の下からハンドリフトＭ５を引き抜き、角材Ｍ６の上に載せる。そして、角材Ｍ６の間に平行な２本のレール部Ｍ１を配置してレール部Ｍ１上に筐体１０を載せる。
【００４７】
図１３に示すように、筐体１０の側面の図示しない取付穴に、アイボルトＭ２を取り付ける。また、搬出入用スペースＳの床面近くに、アンカーＭ３を固定し、アンカーＭ３にレバーブロックＭ４を取り付ける。そして、レバーブロックＭ４のフック部を、取付穴に取り付けたアイボルトＭ２に引っ掛け、レバーブロックＭ４を操作して、筐体１０を設置スペースＦに押込んでいく。そして、ベース部Ｂに筐体１０のほぼ全体が載った時点で、レバーブロックＭ４のフック部をアイボルトＭ２から取り外し、アイボルトＭ２を取付穴から取り外した後、筐体１０を押し込むことにより、本体部１の搬入作業が終了する。
【００４８】
［作用効果］
本実施形態は、電力機器が収容された筐体１０を有し、設置面に直立する方向で設置される本体部１と、筐体１０の正面側から見て外周縁よりも外方に支持され、電力機器と外部とを電気的に接続する接続部１１とを有する。
【００４９】
このため、本体部１の交換工事に際して、接続部１１が、筐体１０の正面側から見て、筐体１０の外周縁よりも外方に設けられているので、作業者が正面側から見ながら、固定側接続部２１に対して接続部１１を切り離す作業、接続する作業を、容易且つ確実に行うことができる。例えば、筐体１０の内部においてケーブルの配線作業や離線作業を行ったり、背面側に接続部分が存在する場合に比べて、遥かに作業が容易となる。このため、交換工事の工期の短縮化と低コスト化を実現できる。また、ＵＰＳの場合に、停止期間が短くなるため、停電に対する安全性の低下を防止できる。
【００５０】
接続部１１は、本体部１が設置面に設置された様態で、筐体１０の外部の設備に固定された固定側接続部２１の位置に応じて、可動に設けられた接続部である。
【００５１】
このため、固定側接続部２１に対する接続部１１の位置合わせ作業を、筐体１０の外周縁よりも外方の位置において、本体部１の設置作業とは別に行うことができるので、作業が容易となる。さらに、重い重量盤は、本体部１の設置位置を接続部１１が固定側接続部２１に合う位置に調整することは非常に困難であるが、本実施形態では、設置後に位置合わせを行うことができるので、簡単である。
【００５２】
接続部１１の固定側接続部２１に対する接続部分Ｅは、筐体１０が設置面に設置された状態で、固定側接続部２１から離隔した断路位置と、固定側接続部２１に電気的に接続された閉路位置との間を移動可能に設けられている。
【００５３】
このため、固定側接続部２１に対する接続部１１の接続及び切り離し作業を、筐体１０の外周縁よりも外方の位置において容易且つ確実に行うことができる。また、奥行方向へ移動させることにより、接続部１１の接続及び切り離しを行う構成とすることにより、正面側からの作業が容易となる。
【００５４】
接続部１１は、入出力用の区分に分けて複数設けられている。このため、直流と交流の絶縁を確実に行い、安全性を確保できる。また、挿抜荷重を低減することにより、作業が容易となる。
【００５５】
［変形例］
（１）図１４に示すように、入力トランス盤６、蓄電池盤７、分岐盤８等の周辺盤についても、上記の同様の接続部１１を設け、バスダクトＢＤを通るケーブルＣを介して、本体部１と接続することにより、交換作業を容易としてもよい。この場合、周辺盤についても、重量盤１として捉えることができる。
【００５６】
（２）接続部１１の数は、単数であっても複数であってもよく、上記の態様には限定されない。一つの接続部１１が開閉する電気的な接続部分の数も、複数であっても単数であってもよい。例えば、図１５に示すように、接続部１１を一つとして、多数の接続部分を一つの操作で開閉できるようにしてもよい。
【００５７】
（３）接続部１１は、図１６及び図１７に示すように、筐体１０の側面１０ｄ、１０ｅの双方又は一方に設け、これに応じて固定側接続部２１を配置してもよい。つまり、支持部１０１を、筐体１０の側面１０ｄ、１０ｅに設けられ、正面１０ｂに平行な方向で固定された板状の部材とする。これにより、上部のスペースに十分な空きがない場合にも、上記と同様に正面側から接続部１１と固定側接続部２１との接続及び離脱作業を行うことができる。
【００５８】
また、各接続部１１及び固定側接続部２１が負担する電流値が大きくなる場合には、交流入力のＲ相、Ｓ相、Ｔ相、直流入力のＰ、Ｎ、バイパス入力のＲ相、Ｓ相、Ｔ相、交流出力のＲ相、Ｓ相、Ｔ相に分けて設けることができる。これらの接続部１１は、互いに間隔を空けて配置され、絶縁距離を確保している。また、固定側接続部２１も、接続部１１に対応する位置に、互いに間隔を空けて並べて配置され、絶縁距離を確保している。
【００５９】
固定側接続部２１のコネクタ部２１３の数も、上記の態様には限定されない。例えば、図１８に示すように、一つの固定側接続部２１毎に、３つ１組のコネクタ部２１３を４列で設けることにより、１組のコネクタ部２１３が負担する電流が過大となることを防止できる。
【００６０】
（４）接続部１１及び固定側接続部２１には、各部の動作の緩衝用の弾性部材を設けることもできる。例えば、図１９に示すように、導体１１ａと支持板１１２ｂとの間に、幅方向に伸縮する圧縮コイルばねである弾性部材３１０を設けてもよい。導体１１ａは、ガイド溝１１２ｃに沿って移動する弾性部材３１０とともに、筐体１０の奥行方向に移動が可能とする。これにより、導体１１ａをコネクタ部２１３に接続する際に、幅方向の僅かなずれが弾性部材３１０に吸収されて、凹部２１３ａに嵌合する。
【００６１】
また、図２０、図２１に示すように、付勢板１１３ａと連結部１１ｂとの間に、複数の弾性部材３２０を取り付けてもよい。弾性部材３２０は、奥行方向に伸縮する圧縮コイルばねである。さらに、固定板２１１と端子板２１２との間に、複数の弾性部材３３０を取り付けてもよい。弾性部材３３０は、奥行き方向に伸縮する圧縮コイルばねである。これにより、操作部１１３により導体１１ａを挿抜する際の部材間の衝突による衝撃が緩和される。
【００６２】
また、コネクタ部２１３は、端子板２１２に対して、筐体１０の高さ方向及び幅方向に、遊動可能に取り付けられるとともに、図示しない弾性部材により定位置に付勢されている。この誘導幅は、例えば、高さ方向及び幅方向に、数ミリとすることができる。これにより、コネクタ部２１３は、導体１１ａの挿入時に、導体１１ａの位置に凹部２１３ａが追従して、導体１１ａと凹部２１３ａとの位置ずれを吸収できるフローティングコネクタが構成される。
【００６３】
（５）図２０〜図２２に示すように、導体１１ａが、コネクタ部２１３から電気的な絶縁が確保される距離で、操作部１１３を保持する保持部３４０を設けてもよい。つまり、支持部１０１に略コの字状の固定枠３４１を取り付け、これに対応する付勢板１１３ａの位置に略コの字状の保持枠３４２を取り付ける。固定枠３４１、保持枠３４２にはねじ穴が形成され、導体１１ａが断路位置となるように、固定枠３４１と保持枠３４２を合わせて、ねじ３４３をねじ穴に挿入することにより締結することができる。これにより、点検時等には、電力機器を外部から確実に切り離した状態が保持されるので、より安全な点検作業が実施できる。
【００６４】
（６）上記の各実施形態、各態様は、本明細書において一例として提示したものであって、発明の範囲を限定することを意図するものではない。すなわち、その他の様々な形態で実施されることが可能であり、発明の範囲を逸脱しない範囲で、種々の省略や置き換え、変更を行うことが可能である。これらの実施形態やその変形例は、発明の範囲や要旨に含まれると同様に、特許請求の範囲に記載された発明とその均等の範囲に含まれるものである。
【符号の説明】
【００６５】
１…本体部
２…コンバータ
３…インバータ
４…ＡＣスイッチ
６…入力トランス盤
７…蓄電池盤
８…分岐盤
１０…筐体
１０ａ…上面
１０ｂ…正面
１０ｃ…背面
１０ｄ、１０ｅ…側面
１０１…支持部
１０１ａ…穴
１１…接続部
１１ａ…導体
１１ｂ…連結部
１１１…ガイド部
１１１ａ…ガイドレール
１１１ｂ…スライダ
１１２…可動部
１１２ａ…移動板
１１２ｂ…支持板
１１２ｃ…ガイド溝
１１３…操作部
１１３ａ…付勢板
１１３ｂ…取手
２１…固定側接続部
２１１…固定板
２１２…端子板
２１３…コネクタ部
２１３ａ…凹部
２１３ｂ…接触電極
３１０、３２０、３３０…弾性部材
３４０…保持部
３４１…固定枠
３４２…保持枠
３４３…ねじ
Ｆ…設置スペース
Ｒ１…主経路
Ｒ２…バイパス経路
Ｒ３…充放電経路
Ｍ１…レール部
Ｍ２…アイボルト
Ｍ３…アンカー
Ｍ４…レバーブロック
Ｍ５…ハンドリフト
Ｍ６…角材
【図１】
2018191405.tif 000003
【図２】
2018191405.tif 000004
【図３】
2018191405.tif 000005
【図４】
2018191405.tif 000006
【図５】
2018191405.tif 000007
【図６】
2018191405.tif 000008
【図７】
2018191405.tif 000009
【図８】
2018191405.tif 000010
【図９】
2018191405.tif 000011
【図１０】
2018191405.tif 000012
【図１１】
2018191405.tif 000013
【図１２】
2018191405.tif 000014
【図１３】
2018191405.tif 000015
【図１４】
2018191405.tif 000016
【図１５】
2018191405.tif 000017
【図１６】
2018191405.tif 000018
【図１７】
2018191405.tif 000019
【図１８】
2018191405.tif 000020
【図１９】
2018191405.tif 000021
【図２０】
2018191405.tif 000022
【図２１】
2018191405.tif 000023
【図２２】
2018191405.tif 000024
【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
ＵＰＳの一部を構成する電力機器であるコンバータ、インバータ及びＡＣスイッチが収容された筐体を有し、設置面に直立する方向で設置される本体部と、
前記筐体の正面側から見て外周縁よりも外方に支持されるとともに前記筐体に収容された電力機器にケーブルを介して接続され、前記筐体の外部に固定された固定側接続部に電気的に接続される接続部と、
を有し、
複数の前記接続部が、前記コンバータ及び前記インバータに接続された主経路の入力側、前記ＡＣスイッチに接続され、交流の入力から出力で交流電力を直送するバイパス経路の入力側、蓄電池に接続される充放電経路、前記主経路及び前記バイパス経路の出力側に対応して、それぞれ設けられ、
前記固定側接続部は、前記本体部に収容されたコンバータ、インバータ及びＡＣスイッチ以外のＵＰＳを構成する電力機器であって周辺盤に収容された電力機器に、ケーブルを介して接続され、
前記接続部は、前記本体部が設置面に設置された状態で、前記接続部と前記固定側接続部との間で移動可能な導体を介して、前記固定側接続部と接続及び切り離し可能な位置にあることを特徴とする重量盤。
【請求項２】
前記接続部は、前記本体部が設置面に設置された状態で、前記固定側接続部の位置に応じて、可動に設けられた可動側接続部であることを特徴とする請求項１記載の重量盤。
【請求項３】
前記可動側接続部の前記固定側接続部に対する接続部分は、前記筐体が設置面に設置された状態で、前記固定側接続部から離隔した断路位置と、前記固定側接続部に電気的に接続された閉路位置との間を移動可能に設けられていることを特徴とする請求項２記載の重量盤。
【請求項４】
前記接続部は、入出力用の区分に分けて複数設けられていることを特徴とする請求項１乃至３のいずれかに記載の重量盤。
【請求項５】
前記接続部は、交流の各相に分けて複数設けられていることを特徴とする請求項１乃至４のいずれかに記載の重量盤。
【手続補正２】
【補正対象書類名】明細書
【補正対象項目名】００１２
【補正方法】変更
【補正の内容】
【００１２】
上記目的を達成するために、本発明の実施形態の重量盤は、ＵＰＳの一部を構成する電力機器であるコンバータ、インバータ及びＡＣスイッチが収容された筐体を有し、設置面に直立する方向で設置される本体部と、前記筐体の正面側から見て外周縁よりも外方に支持されるとともに前記筐体に収容された電力機器にケーブルを介して接続され、前記筐体の外部に固定された固定側接続部に電気的に接続される接続部と、を有し、複数の前記接続部が、前記コンバータ及び前記インバータに接続された主経路の入力側、前記ＡＣスイッチに接続され、交流の入力から出力で交流電力を直送するバイパス経路の入力側、蓄電池に接続される充放電経路、前記主経路及び前記バイパス経路の出力側に対応して、それぞれ設けられ、前記固定側接続部は、前記本体部に収容されたコンバータ、インバータ及びＡＣスイッチ以外のＵＰＳを構成する電力機器であって周辺盤に収容された電力機器に、ケーブルを介して接続され、前記接続部は、前記本体部が設置面に設置された状態で、前記接続部と前記固定側接続部との間で移動可能な導体を介して、前記固定側接続部と接続及び切り離し可能な位置にある。
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
ＵＰＳの一部を構成する電力機器であるコンバータ、インバータ及びＡＣスイッチが収容された筐体を有し、設置面に直立する方向で設置される本体部と、
前記筐体の正面側から見て外周縁よりも外方に支持されるとともに前記筐体に収容された電力機器にケーブルを介して接続され、前記筐体の外部に固定された固定側接続部に電気的に接続される接続部と、
を有し、
複数の前記接続部が、前記コンバータ及び前記インバータに接続された主経路の入力側、前記ＡＣスイッチに接続され、交流の入力から出力へ交流電力を直送するバイパス経路の入力側、蓄電池に接続される充放電経路、前記主経路及び前記バイパス経路の出力側に対応して、それぞれ設けられ、
前記固定側接続部は、前記本体部に収容されたコンバータ、インバータ及びＡＣスイッチ以外のＵＰＳを構成する電力機器であって周辺盤に収容された電力機器に、ケーブルを介して接続され、
前記接続部は、前記本体部が設置面に設置された状態で、前記固定側接続部に対して移動可能な導体を介して、前記固定側接続部と接続及び切り離し可能な位置にあることを特徴とする重量盤。
【請求項２】
前記接続部は、前記本体部が設置面に設置された状態で、前記固定側接続部の位置に応じて、可動に設けられた可動側接続部であることを特徴とする請求項１記載の重量盤。
【請求項３】
前記可動側接続部の前記固定側接続部に対する接続部分は、前記筐体が設置面に設置された状態で、前記固定側接続部から離隔した断路位置と、前記固定側接続部に電気的に接続された閉路位置との間を移動可能に設けられていることを特徴とする請求項２記載の重量盤。
【請求項４】
前記接続部は、入出力用の区分に分けて複数設けられていることを特徴とする請求項１乃至３のいずれかに記載の重量盤。
【請求項５】
前記接続部は、交流の各相に分けて複数設けられていることを特徴とする請求項１乃至４のいずれかに記載の重量盤。
【手続補正２】
【補正対象書類名】明細書
【補正対象項目名】００１２
【補正方法】変更
【補正の内容】
【００１２】
上記目的を達成するために、本発明の実施形態の重量盤は、ＵＰＳの一部を構成する電力機器であるコンバータ、インバータ及びＡＣスイッチが収容された筐体を有し、設置面に直立する方向で設置される本体部と、前記筐体の正面側から見て外周縁よりも外方に支持されるとともに前記筐体に収容された電力機器にケーブルを介して接続され、前記筐体の外部に固定された固定側接続部に電気的に接続される接続部と、を有し、複数の前記接続部が、前記コンバータ及び前記インバータに接続された主経路の入力側、前記ＡＣスイッチに接続され、交流の入力から出力へ交流電力を直送するバイパス経路の入力側、蓄電池に接続される充放電経路、前記主経路及び前記バイパス経路の出力側に対応して、それぞれ設けられ、前記固定側接続部は、前記本体部に収容されたコンバータ、インバータ及びＡＣスイッチ以外のＵＰＳを構成する電力機器であって周辺盤に収容された電力機器に、ケーブルを介して接続され、前記接続部は、前記本体部が設置面に設置された状態で、前記固定側接続部に対して移動可能な導体を介して、前記固定側接続部と接続及び切り離し可能な位置にある。